(57)【要約】【課題】ライブビュー画像表示中におけるミニ撮影レビュー画像の表示機能をユーザによる撮影結果の判別により適したものとすること。【解決手段】ライブビュー画像生成部４３は、撮像部１６から順次出力される撮像画像をライブビュー画像として、表示画面に順次表示させる。レビュー画像生成部４５は、撮影記録が指示された場合に、撮像部１６から出力された記録用の撮像画像を、ライブビュー画像を表示した状態で表示画面の一部に第１のレビュー画像として表示させる。撮影結果評価部４４は、撮影記録の指示に対応して撮像部１６から出力された記録用の撮像画像に基づいて、撮影を評価する。レビュー画像生成部４５は、撮影結果評価部４４による評価結果に応じて、第１のレビュー画像の表示形態を異ならせる表示制御を行う。【選択図】図２
2014179874.tif 000002
【特許請求の範囲】
【請求項１】
被写体の画像を撮像する撮像手段と、
前記撮像手段から順次出力される撮像画像をライブビュー画像として、表示画面に順次表示させるライブビュー画像表示手段と、
撮影記録が指示された場合に、前記撮像手段から出力された記録用の撮像画像を、前記ライブビュー画像を表示した状態で前記表示画面の一部に第１のレビュー画像として表示させるレビュー画像表示手段と、
前記撮影記録の指示に対応して前記撮像手段から出力された前記記録用の撮像画像に基づいて、撮影結果を評価する撮影結果評価手段と、
前記撮影結果評価手段による評価結果に応じて、前記第１のレビュー画像の表示形態を異ならせる表示制御を行う表示制御手段と、
を備えることを特徴とする撮像装置。
【請求項２】
前記撮影結果評価手段は、撮影に成功したか否かを判別することを特徴とする請求項１に記載の撮像装置。
【請求項３】
前記表示制御手段は、前記第１のレビュー画像の枠を前記評価結果に応じた色とする表示形態又は前記第１のレビュー画像の色を前記評価結果に応じた色とする表示形態の少なくともいずれかとすることを特徴とする請求項１又は２に記載の撮像装置。
【請求項４】
前記撮影結果評価手段によって前記撮影に失敗したと判別された場合、前記表示制御手段は、前記第１のレビュー画像において撮影の失敗要因となった箇所を識別可能に表示することを特徴とする請求項２に記載の撮像装置。
【請求項５】
前記レビュー画像表示手段は、前記ライブビュー画像に代えて、前記記録用の撮像画像を前記第１のレビュー画像よりも大きいサイズの第２のレビュー画像として前記表示画面に表示することを特徴とする請求項１から３のいずれか１項に記載の撮像装置。
【請求項６】
前記表示制御手段は、前記第１のレビュー画像の表示中に、所定の操作が行われることに対応して、前記第１のレビュー画像から前記第２のレビュー画像に切り替えて表示することを特徴とする請求項５に記載の撮像装置。
【請求項７】
前記レビュー画像生成手段は、複数回の撮影に応じて複数の前記第１のレビュー画像を前記表示画面に表示し、
前記表示制御手段は、前記複数の前記第１のレビュー画像それぞれについて、前記撮影結果評価手段による評価結果に応じて、表示形態を異ならせることを特徴とする請求項１から６のいずれか１項に記載の撮像装置。
【請求項８】
前記撮影結果評価手段は、前記撮影に失敗したと判別した場合、撮影失敗の要因を複数の要因の中から特定し、
前記表示制御手段は、前記撮影結果評価手段によって特定された前記撮影失敗の要因に応じて、前記複数の要因ごとに予め決められた複数の表示形態の中から前記第１のレビュー画像の表示形態を選択することを特徴とする請求項２に記載の撮像装置。
【請求項９】
前記レビュー画像生成手段は、撮影時に撮影結果を表す画像として、前記第１のレビュー画像を表示する設定と、前記第２のレビュー画像を表示する設定とを切り替え操作に応じて切り替え、
前記表示制御手段は、前記撮影結果評価手段による評価結果に応じて、前記切り替え操作に応じた表示の設定に基づいて、前記第１のレビュー画像又は前記第２のレビュー画像の表示形態を選択することを特徴とする請求項５に記載の撮像装置。
【請求項１０】
前記表示制御手段は、前記撮影結果評価手段によって前記撮影に失敗したと判別され、前記撮影結果評価手段による評価結果に応じて前記第１のレビュー画像の表示形態を異ならせる場合に、前記第１のレビュー画像の枠を前記評価結果に応じた色とする表示形態と前記第１のレビュー画像において撮影の失敗要因となった箇所を識別可能に表示する表示形態とを切り替え操作に応じて切り替えることを特徴とする請求項２に記載の撮像装置。
【請求項１１】
前記表示制御手段は、前記撮影結果評価手段によって前記撮影に成功したと判別された場合に、撮影結果を表す画像として、前記第１のレビュー画像を前記表示画面に表示し、前記撮影結果評価手段によって前記撮影に失敗したと判別された場合に、撮影結果を表す画像として、前記撮影の失敗要因となった箇所を識別可能に表示した、前記第１のレビュー画像よりも大きいサイズの第２のレビュー画像を前記表示画面に表示することを特徴とする請求項２に記載の撮像装置。
【請求項１２】
被写体の画像を撮像する撮像手段から順次出力される撮像画像をライブビュー画像として、表示画面に順次表示するライブビュー画像表示ステップと、
撮影記録が指示された場合に、前記撮像手段から出力された記録用の撮像画像を、前記ライブビュー画像を表示した状態で前記表示画面の一部に第１のレビュー画像として表示するレビュー画像表示ステップと、
前記撮影記録の指示に対応して前記撮像手段から出力された前記記録用の撮像画像に基づいて、撮影結果を評価する撮影結果評価ステップと、
前記撮影結果評価ステップにおける評価結果に応じて、前記第１のレビュー画像の表示形態を異ならせる表示制御を行う表示制御ステップと、を含むことを特徴とする表示方法。
【請求項１３】
コンピュータに、
被写体の画像を撮像する撮像手段から順次出力される撮像画像をライブビュー画像として、表示画面に順次表示させるライブビュー画像表示機能と、
撮影記録が指示された場合に、前記撮像手段から出力された記録用の撮像画像を、前記ライブビュー画像を表示した状態で前記表示画面の一部に第１のレビュー画像として表示させるレビュー画像表示機能と、
前記撮影記録の指示に対応して前記撮像手段から出力された前記記録用の撮像画像に基づいて、撮影結果を評価する撮影結果評価機能と、
前記撮影結果評価機能による評価結果に応じて、前記第１のレビュー画像の表示形態を異ならせる表示制御を行う表示制御機能とを実現させることを特徴とするプログラム。
【発明の詳細な説明】
【技術分野】
【０００１】
本発明は、レビュー画像を表示可能な撮像装置、撮像装置の表示方法及びプログラムに関する。
【背景技術】
【０００２】
従来より、撮影モードにおいて、撮像部から一定時間ごとに出力される撮像画像のデータを表示画面にリアルタイムに表示させるライブビュー表示中のユーザ操作によって撮像された撮像画像をユーザに確認させるために、ライブビュー画像に代えて表示画面全体に撮像画像を表示させるレビュー表示機能を備えた撮像装置が知られている。以下、ライブビュー表示中において表示画面にリアルタイムに表示される撮像画像を「ライブビュー画像」、ユーザによる撮像操作後の確認のために表示される撮像画像を「レビュー画像」と呼ぶ。
また、レビュー表示機能を備えた撮像装置において、ユーザの操作によって撮像された撮像画像をライブビュー画像を表示したままで表示画面の一部に表示する機能を備えたものが知られている。以下、ライブビュー画像を表示したままで表示画面の一部に表示される撮像画像を「ミニ撮影レビュー画像」と呼ぶ。
ライブビュー画像を表示したままでミニ撮影レビュー画像を表示することで、レビュー画像が表示画面全体に表示される場合のように、ライブビュー表示が途切れることがなくなる。そのため、ユーザは、速やかに撮影できる状態を継続しながら、撮影結果を確認することが可能となる。
なお、ライブビュー画像を表示したままで表示画面の一部にミニ撮影レビュー画像を表示する撮像装置に関する技術は、例えば、特許文献１に記載されている。
【先行技術文献】
【特許文献】
【０００３】
【特許文献１】特開２００１−１１７１６３号公報
【発明の概要】
【発明が解決しようとする課題】
【０００４】
しかしながら、特許文献１に記載された技術では、ミニ撮影レビュー画像の表示領域が表示画面全体に対して小さく設定されている。このため、ユーザにとってミニ撮影レビュー画像から撮影の成否を判別することが困難である。
このように、従来の技術では、撮影時におけるライブビュー画像表示中におけるミニ撮影レビュー画像の表示機能が、ユーザによる撮影結果の判別に十分に適したものではなかった。
【０００５】
本発明は、このような状況に鑑みてなされたものであり、ライブビュー画像表示中におけるミニ撮影レビュー画像の表示機能をユーザによる撮影結果の判別により適したものとすることを目的とする。
【課題を解決するための手段】
【０００６】
上記目的を達成するため、本発明の一態様の撮像装置は、被写体の画像を撮像する撮像手段と、前記撮像手段から順次出力される撮像画像をライブビュー画像として、表示画面に順次表示させるライブビュー画像表示手段と、撮影記録が指示された場合に、前記撮像手段から出力された記録用の撮像画像を、前記ライブビュー画像を表示した状態で前記表示画面の一部に第１のレビュー画像として表示させるレビュー画像表示手段と、前記撮影記録の指示に対応して前記撮像手段から出力された前記記録用の撮像画像に基づいて、撮影結果を評価する撮影結果評価手段と、前記撮影結果評価手段による評価結果に応じて、前記第１のレビュー画像の表示形態を異ならせる表示制御を行う表示制御手段と、を備えることを特徴とする。
【発明の効果】
【０００７】
本発明によれば、ライブビュー画像表示中におけるミニ撮影レビュー画像の表示機能をユーザによる撮影結果の判別により適したものとすることができる。
【図面の簡単な説明】
【０００８】
【図１】本発明の一実施形態に係る撮像装置のハードウェアの構成を示すブロック図である。
【図２】図１の撮像装置の機能的構成のうち、撮影結果評価処理を実行するための機能的構成を示す機能ブロック図である。
【図３】撮影失敗要因の具体的形態におけるミニ撮影レビュー画像及びレビュー画像の表示形態を説明するための図である。
【図４】撮影時における表示形態の具体例（第１実施形態）を示す図である。
【図５】図２の機能的構成を有する図１の撮像装置が実行する撮影結果評価処理の流れを説明するフローチャートである。
【図６】撮影時における表示形態の具体例（第２実施形態）を示す図である。
【図７】本発明の第２実施形態の撮影結果評価処理の流れを説明するフローチャートである。
【図８】撮影時における表示形態の具体例（第３実施形態）を示す図である。
【発明を実施するための形態】
【０００９】
以下、本発明の実施形態について、図面を用いて説明する。
【００１０】
［第１実施形態］
図１は、本発明の一実施形態に係る撮像装置１のハードウェアの構成を示すブロック図である。
撮像装置１は、例えばデジタルカメラとして構成される。
【００１１】
撮像装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、撮像部１６と、入力部１７と、出力部１８と、記憶部１９と、通信部２０と、ドライブ２１と、を備えている。
【００１２】
ＣＰＵ１１は、ＲＯＭ１２に記録されているプログラム、又は、記憶部１９からＲＡＭ１３にロードされたプログラムにしたがって各種の処理を実行する。また、ＣＰＵ１１には、撮像部１６の出力信号が入力される。撮像部１６の出力信号によって表されるデータを、以下、「撮像画像のデータ」と呼ぶ。
【００１３】
また、ＣＰＵ１１は、撮像部１６から連続して出力される複数の撮像画像のデータに基づいて、連続的に撮像画像を表示する処理を実行する。即ち、ＣＰＵ１１は、撮像部１６による撮像動作が継続されている間、撮像部１６から順次出力される撮像画像のデータをメモリ（ＲＡＭ１３等）に一時的に記憶させると共に、一時的に記憶された撮像画像のデータを順次読み出して出力部１８のディスプレイに画像を表示するライブビュー表示を実行する。ライブビュー表示において、出力部１８のディスプレイに表示される画像を以下、「ライブビュー画像」と呼ぶ。なお、ライブビュー画像は、出力部１８のディスプレイにおける表示領域全体に表示される。
さらに、ＣＰＵ１１は、シャッタボタンの押下等によるユーザの撮影記録の指示に従って撮像された撮像画像のデータに基づいて、ライブビュー画像に重ねてミニ撮影レビュー画像（第１のレビュー画像）を表示する処理や、ライブビュー画像と切り替えて表示するレビュー画像（第２のレビュー画像）を表示する処理を実行する。
ここで、レビュー画像とは、ユーザによって撮影記録が指示された撮像画像のデータから生成される撮影結果を表す画像であり、ライブビュー画像と同様に出力部１８のディスプレイにおける表示領域全体に表示される。また、ミニ撮影レビュー画像とは、レビュー画像と同様に、ユーザによって撮影記録が指示された撮像画像のデータから生成される撮影結果を表す画像であるが、出力部１８のディスプレイにおける表示領域の一部に、レビュー画像よりも小サイズで表示される画像である。本実施形態において、ミニ撮影レビュー画像は、ライブビュー画像に重ねて、ライブビュー画像と同時に表示される。
【００１４】
また、ＣＰＵ１１は、ＲＯＭ１２等に記憶されている撮影結果評価処理（後述）のためのプログラムを実行し、撮影記録が指示された撮像画像のデータに基づいて、撮像画像に手ブレ、被写体ブレあるいは焦点ずれ等、撮影の失敗が発生しているか否か（以下、適宜「撮影の成否」と呼ぶ。）を判別する。そして、ＣＰＵ１１は、ミニ撮影レビュー画像あるいはレビュー画像を撮影結果評価処理による判別結果を識別可能な表示形態で表示させる。
ＲＡＭ１３には、ＣＰＵ１１が各種の処理を実行する上において必要なデータ等も適宜記憶される。
【００１５】
ＣＰＵ１１、ＲＯＭ１２及びＲＡＭ１３は、バス１４を介して相互に接続されている。このバス１４にはまた、入出力インターフェース１５も接続されている。入出力インターフェース１５には、撮像部１６、入力部１７、出力部１８、記憶部１９、通信部２０及びドライブ２１が接続されている。
【００１６】
撮像部１６は、図示はしないがフォーカスレンズやズームレンズを含む光学レンズ部と、イメージセンサと、を備えている。
【００１７】
光学レンズ部は、被写体を撮影するために、フォーカスレンズやズームレンズ等の各種レンズで構成される。
フォーカスレンズは、イメージセンサの受光面に被写体像を結像させるレンズである。ズームレンズは、焦点距離を一定の範囲で自在に変化させるレンズである。
光学レンズ部にはまた、必要に応じて、焦点、露出、ホワイトバランス等の設定パラメータを調整する周辺回路が設けられる。
【００１８】
イメージセンサは、光電変換素子や、ＡＦＥ（Ａｎａｌｏｇ  Ｆｒｏｎｔ  Ｅｎｄ）等から構成される。
光電変換素子は、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）型の光電変換素子等から構成される。光電変換素子には、光学レンズ部から被写体像が入射される。そこで、光電変換素子は、被写体像を光電変換（撮像）して画像信号を一定時間蓄積し、蓄積した画像信号をアナログ信号としてＡＦＥに順次供給する。
【００１９】
ＡＦＥは、このアナログの画像信号に対して、Ａ／Ｄ（Ａｎａｌｏｇ／Ｄｉｇｉｔａｌ）変換処理等の各種信号処理を実行する。各種信号処理によって、ディジタル信号が生成され、撮像部１６の出力信号として出力される。
このような撮像部１６の出力信号によって表されるデータは、撮像画像のデータとして、ＣＰＵ１１やＲＡＭ１３等に適宜供給される。
【００２０】
入力部１７は、電源ボタン、シャッタボタン等、各種ボタンで構成され、ユーザの指示操作に応じて各種情報を入力する。
出力部１８は、ディスプレイやスピーカ等で構成され、画像や音声を出力する。
記憶部１９は、ハードディスク或いはＤＲＡＭ（Ｄｙｎａｍｉｃ  Ｒａｎｄｏｍ  Ａｃｃｅｓｓ  Ｍｅｍｏｒｙ）等で構成され、各種画像のデータを記憶する。
通信部２０は、インターネットを含むネットワークを介して他の装置（図示せず）との間で行う通信を制御する。
【００２１】
ドライブ２１には、磁気ディスク、光ディスク、光磁気ディスク、或いは半導体メモリ等よりなる、リムーバブルメディア３１が適宜装着される。ドライブ２１によってリムーバブルメディア３１から読み出されたプログラムは、必要に応じて記憶部１９にインストールされる。また、リムーバブルメディア３１は、記憶部１９に記憶されている撮像画像のデータ等の各種データも、記憶部１９と同様に記憶することができる。
【００２２】
図２は、このような撮像装置１の機能的構成のうち、撮影結果評価処理を実行するための機能的構成を示す機能ブロック図である。
撮影結果評価処理とは、撮影を行うための撮影モードにおいて、ユーザの指示によって撮像された撮像画像のデータについて撮影の成否を判別し、その判別結果に応じた表示形態でミニ撮影レビュー画像あるいはレビュー画像を表示するまでの一連の処理をいう。
【００２３】
撮影結果評価処理が実行される場合、ＣＰＵ１１においては、撮像制御部４１と、画像取得部４２と、ライブビュー画像生成部４３と、撮影結果評価部４４と、レビュー画像生成部４５とが機能する。
【００２４】
撮像制御部４１は、入力部１７に対する各種操作等に応じて撮像条件を設定し、設定した撮像条件に基づいて撮像部１６の撮像動作を制御する。また、撮像制御部４１は、撮像部１６から出力される撮像画像のデータをライブビュー画像としてＲＡＭ１３に順次記憶させる。さらに、撮像制御部４１は、シャッタボタンが押下されることにより、撮影記録（撮影対象の画像の記録）が指示されると、撮像部１６から出力される撮像画像のデータを撮影記録が指示された画像のデータとしてＲＡＭ１３に記憶させると共に、記憶部１９に記憶させる。
【００２５】
画像取得部４２は、撮像装置１が撮影モードである場合に、ライブビュー画像としてＲＡＭ１３に記憶された撮像画像のデータを取得し、ライブビュー画像生成部４３に出力する。また、画像取得部４２は、撮影記録が指示された撮像画像のデータとしてＲＡＭ１３に記憶された撮像画像のデータを取得し、撮影結果評価部４４及びレビュー画像生成部４５に出力する。
【００２６】
ライブビュー画像生成部４３は、ライブビュー画像のデータに基づいて、ライブビュー画像の表示用データ（より具体的には表示用にラスタライズされたライブビュー画像のデータ）を生成し、生成したライブビュー画像の表示用データを出力部１８に出力する（表示させる）。
撮影結果評価部４４は、撮影結果評価処理を実行し、画像取得部４２から入力された撮像画像のデータ（撮影記録が指示された撮像画像のデータ）に基づいて、撮影に成功したか失敗したかを判別する。なお、本実施形態では、撮影結果評価部４４は、撮像画像に手ブレ、被写体ブレ、人物である被写体が目をつぶっている状態（以下、「目つぶり」と呼ぶ）、焦点ずれ、露出時間の不適合（例えば、露光オーバーあるいは露光アンダー）の少なくとも１つ（以下、これらをまとめて「撮影失敗要因」と呼ぶ。）が発生している場合に、その撮像画像を「撮影に失敗した」と判別する。即ち、本実施形態において、撮影結果評価部４４は、撮影の成否に加え、撮影失敗要因の内容を特定している。
一方、撮影結果評価部４４は、いずれの撮影失敗要因も発生していない場合に、その撮像画像を「撮影に成功した」と判別する。
【００２７】
レビュー画像生成部４５は、撮影記録が指示された画像のデータに基づいて、レビュー画像あるいはミニ撮影レビュー画像の表示用データ（より具体的には表示用にラスタライズされたレビュー画像あるいはミニ撮影レビュー画像のデータ）を生成し、生成したレビュー画像あるいはミニ撮影レビュー画像のデータを出力部１８に出力する（表示させる）。
【００２８】
このとき、レビュー画像生成部４５は、レビュー画像あるいはミニ撮影レビュー画像の予め設定された表示条件に従って、撮影結果評価処理の結果に応じた表示形態で、レビュー画像あるいはミニ撮影レビュー画像を表示する制御を行う。具体的には、レビュー画像生成部４５は、撮像画像にいずれかの撮影失敗要因が発生している場合、ミニ撮影レビュー画像を、撮影失敗要因が発生していることを表す表示形態とする。また、レビュー画像生成部４５は、撮像画像にいずれかの撮影失敗要因が発生している場合、レビュー画像において撮影失敗要因の発生箇所を特定した表示形態とする。
【００２９】
図３は、撮影失敗要因の具体的形態（手ブレ、被写体ブレ、目つぶり、焦点ズレ、露光量の不適合）におけるミニ撮影レビュー画像及びレビュー画像の表示形態を説明するための図である。なお、図３において、小サイズの画像はミニ撮影レビュー画像を表し、大サイズの画像はレビュー画像を表している。
図３（Ａ）は、手ブレの場合の表示形態を説明するための図である。
撮影結果評価部４４は、例えば撮像画像のデータにおける動きベクトル等によって手ブレを検出する。そして、手ブレが検出された場合、レビュー画像生成部４５は、図３（Ａ）に示すように、例えばＲＯＭ１２等に記憶された予め設定されている表示条件を参照して、ミニ撮影レビュー画像の外枠を手ブレを表す色によって表示する。
なお、手ブレの場合、撮像画像全体がブレるため、レビュー画像において撮影失敗要因の発生箇所は特定されない。
【００３０】
図３（Ｂ）は、被写体ブレの場合の表示形態を説明するための図である。撮影結果評価部４４は、例えば撮像画像のデータにおける動きベクトル等によって被写体ブレを検出する。そして、被写体ブレが検出された場合、レビュー画像生成部４５は、図３（Ｂ）に示すように、予め設定されている表示条件を参照して、ミニ撮影レビュー画像の外枠を被写体ブレを表す色によって表示する。また、被写体ブレの場合、特定の被写体の画像がブレるため、本実施形態では、レビュー画像において撮影失敗要因（被写体ブレ）の発生箇所（例えば被写体を囲む矩形等）が外枠と同一の色で表示される。
【００３１】
図３（Ｃ）は、目つぶりの場合の表示形態を説明するための図である。撮影結果評価部４４は、例えば撮像画像のデータにおいて顔検出処理を実行し、検出された顔において目の開き度合いを判定することにより、目つぶりを検出する。そして、目つぶりが検出された場合、レビュー画像生成部４５は、図３（Ｃ）に示すように、予め設定されている表示条件を参照して、ミニ撮影レビュー画像の外枠を目つぶりを表す色によって表示する。また、目つぶりの場合、目つぶりとなっている目を特定できるため、本実施形態では、レビュー画像において撮影失敗要因（目つぶり）の発生箇所（例えば目つぶりとなっている目を囲む矩形等）が外枠と同一の色で表示される。
【００３２】
図３（Ｄ）は、焦点ずれの場合の表示形態を説明するための図である。撮影結果評価部４４は、例えば撮像画像において人物等の主要被写体を特定し、主要被写体の画像のエッジの強度に基づいて、主要被写体から焦点がずれているか否か（焦点ずれ）を検出する。
そして、焦点ずれが検出された場合、レビュー画像生成部４５は、図３（Ｄ）に示すように、予め設定されている表示条件を参照して、ミニ撮影レビュー画像の外枠を焦点ずれを表す色によって表示する。また、焦点ずれの場合、焦点ずれとなっている主要被写体を特定できるため、本実施形態では、レビュー画像において撮影失敗要因（焦点ずれ）の発生箇所（主要被写体を囲む矩形等）が外枠と同一の色で表示される。
【００３３】
図３（Ｅ）は、露光量の不適合の場合の表示形態を説明するための図である。撮影結果評価部４４は、例えば撮像画像において人物等の主要被写体を特定し、主要被写体の画像の輝度に基づいて、主要被写体の露光状態を検出する。
そして、主要被写体の露光オーバーあるいは露光アンダーが検出された場合、レビュー画像生成部４５は、図３（Ｅ）に示すように、予め設定されている表示条件を参照して、ミニ撮影レビュー画像の外枠を露光量の不適合を表す色によって表示する。また、露光量の不適合の場合、露光量が不適合となっている主要被写体を特定できるため、本実施形態では、レビュー画像において撮影失敗要因（露光量の不適合）の発生箇所（主要被写体を囲む矩形等）が外枠と同一の色で表示される。
【００３４】
図４は、撮影時における表示形態の具体例を示す図である。
図４（Ａ）、図４（Ｂ）は、出力部１８のディスプレイにミニ撮影レビュー画像及びライブビュー画像が表示された状態を示す図である。
図４（Ａ）は、撮影に成功した場合のライブビュー画像８１及びミニ撮影レビュー画像８２を示している。ライブビュー画像８１は出力部１８のディスプレイの略全面に表示され、ミニ撮影レビュー画像８２はディスプレイの一部（ここでは右下の小領域）にライブビュー画像８１よりも小さいサイズでライブビュー画像８１に重ねて表示されている。なお、撮影に成功した場合、ミニ撮影レビュー画像８２の外枠が、撮影に成功したことを示す色で表示される。
【００３５】
図４（Ｂ）は、撮像に失敗した場合のライブビュー画像８３及びミニ撮影レビュー画像８４を示している。なお、図４（Ｂ）において、（ａ）はライブビュー画像８３の右下にミニ撮影レビュー画像８４が重ねて表示された状態、（ｂ）はレビュー画像８５において撮影失敗要因の発生箇所が表示された状態、（ｃ）は複数のミニ撮影レビュー画像がライブビュー画像の下部に重ねて表示された状態を示している。また、図４（Ｂ）においては、撮影失敗要因が目つぶりである場合を例として示している。図４（Ｂ）に示す例では、ミニ撮影レビュー画像８４の外枠が、目つぶりによって撮影に失敗したことを示す色で表示されている。
また、図４（Ｂ）の（ａ）において、ライブビュー画像８３内の右下にミニ撮影レビュー画像８４が重ねて表示されている状態で、撮影から所定時間（例えば３秒）の間、入力部１７の所定のボタン（例えば十字キーの上を表す「△」ボタン）の操作が受け付けられる。そして、ユーザが所定のボタンを操作すると、レビュー画像生成部４５は、ライブビュー画像８３に代えて、ミニ撮影レビュー画像８４を拡大して、ディスプレイの全面にレビュー画像８５として表示させる。このとき、レビュー画像生成部４５は、レビュー画像８５において目つぶりの発生箇所を目つぶりを表す色の矩形によって特定している。
これにより、ミニ撮影レビュー画像８４によって撮影に失敗していることが識別して表示されると共に、レビュー画像８５によってより大きい画像において撮影失敗要因の発生箇所が表示される。そのため、ユーザは、撮影に失敗していることに加え、撮影失敗要因及びその発生箇所を容易に識別することができる。
【００３６】
また、レビュー画像生成部４５は、複数の画像が撮像された場合（例えば連写によって撮影記録が行われた場合）に、図４（Ｂ）の（ｃ）に示すように、ライブビュー画像の下部に複数のミニ撮影レビュー画像８６ａ〜８６ｄを重ねて表示する。そして、撮影結果評価部４４は、表示された複数のミニ撮影レビュー画像８６ａ〜８６ｄの各々について、撮影の成否を判別し、レビュー画像生成部４５がミニ撮影レビュー画像８６ａ〜８６ｄの外枠を判別の結果に応じた色で表示する。
そして、ユーザがミニ撮影レビュー画像８６ａ〜８６ｄのいずれかを選択し、入力部１７の所定のボタン（例えば十字キーの上を表す「△」ボタン）を操作すると、レビュー画像生成部４５は、図４（Ｂ）の（ｂ）に示すように、ライブビュー画像８３に代えて、選択されたミニ撮影レビュー画像を拡大して、ディスプレイの全面にレビュー画像８５として表示させる。
【００３７】
次に、図５を参照して、上述の図２に示した機能的構成の撮像装置１が実行する撮影結果評価処理について説明する。
図５は、図２の機能的構成を有する図１の撮像装置が実行する撮影結果評価処理の流れを説明するフローチャートである。
撮影結果評価処理は、ユーザにより入力部１７に対する撮影を指示する操作がなされたことを契機として開始され、次のような一連の処理が実行される。
【００３８】
ステップＳ１１において、撮像制御部４１は、ユーザによって撮影を指示する操作がなされたか否かを判定する。
撮影を指示する操作がなされた場合、ステップＳ１１においてＹＥＳであると判定されて、処理はステップＳ１４に進む。
これに対し、撮影を指示する操作がなされていない場合、ステップＳ１１においてＮＯであると判定されて、処理はステップＳ１２に進む。
【００３９】
ステップＳ１２において、撮像制御部４１は、撮像装置１に対して撮影を指示する操作以外の操作（例えば、ズーム操作、マニュアル設定等）がなされたか否かを判定する。
撮像装置１に対して撮影を指示する操作以外の操作がなされていない場合、ステップＳ１２においてＮＯと判定されて、処理はステップＳ１１に戻る。
これに対し、撮像装置１に対して撮影を指示する操作以外の操作（例えば、ズーム操作、マニュアル設定等）がなされた場合、ステップＳ１２においてＹＥＳと判定されて、処理はステップＳ１３に進む。
ステップＳ１３において、撮像制御部４１は、操作に応じた処理を実行し、処理はステップＳ１１に戻る。
【００４０】
ステップＳ１４において、撮像制御部４１は、撮影記録が指示された画像のデータとして、撮像画像のデータをＲＡＭ１３等に記憶させる。
ステップＳ１５において、撮影結果評価部４４は、撮影記録が指示された画像のデータについて、撮影に成功しているか否かを判定する。
撮影記録が指示された画像のデータについて、撮影に成功している場合、ステップＳ１５においてＹＥＳと判定されて、処理はステップＳ１６に進む。
これに対し、撮影記録が指示された画像のデータについて、撮影に失敗している場合、ステップＳ１５においてＮＯと判定されて、処理はステップＳ１７に進む。
【００４１】
ステップＳ１６において、レビュー画像生成部４５は、外枠を撮影に成功したことを示す色としてミニ撮影レビュー画像を表示し、処理はステップＳ１１に戻る。
ステップＳ１７において、レビュー画像生成部４５は、撮影結果評価部４４によって判別された撮影失敗要因に応じてミニ撮影レビュー画像の外枠の色を特定する。
ステップＳ１８において、レビュー画像生成部４５は、ミニ撮影レビュー画像の表示モードの設定が、ミニ撮影レビュー画像を１つ表示するモードとなっているか（表示モードフラグ＝０）、複数表示するモードとなっているか（表示モードフラグ＝１）を判定する。
なお、表示モードフラグは、入力部１７をユーザが操作することによって設定されるフラグであり、出力部１８のディスプレイにミニ撮影レビュー画像を複数表示させるか否を識別するためのフラグである。表示モードフラグは、「０」である場合にディスプレイには１つのミニ撮影レビュー画像が表示されることを示し、「１」である場合にディスプレイには複数のミニ撮影レビュー画像が表示されることを示す。
ステップＳ１８において、ミニ撮影レビュー画像の表示モードの設定が、ミニ撮影レビュー画像を１つ表示するモードとなっている場合（表示モードフラグ＝０の場合）、処理はステップＳ１９に進む。
これに対し、ミニ撮影レビュー画像の表示モードの設定が、ミニ撮影レビュー画像を複数表示するモードとなっている場合（表示モードフラグ＝１の場合）、処理はステップＳ２６に進む。
【００４２】
ステップＳ１９において、レビュー画像生成部４５は、ステップＳ１４において撮像された撮像画像のデータについて特定された外枠の色でミニ撮影レビュー画像を表示する。
このとき、ミニ撮影レビュー画像は、ライブビュー画像に重ねて表示される（図４（Ｂ）の（ａ）参照）。
【００４３】
ステップＳ２０において、レビュー画像生成部４５は、ミニ撮影レビュー画像を表示した状態で、撮影から所定時間が経過したか否かを判定する。
ミニ撮影レビュー画像を表示した状態で、撮影から所定時間が経過した場合、ステップＳ２０においてＹＥＳと判定されて、処理はステップＳ２１に進む。
これに対し、ミニ撮影レビュー画像を表示した状態で、撮影から所定時間が経過していない場合、ステップＳ２０においてＮＯと判定されて、処理はステップＳ２２に進む。
ステップＳ２１において、レビュー画像生成部４５は、ミニ撮影レビュー画像の表示を解除し、ライブビュー画像のみが表示された状態となる。
その後、処理はステップＳ１１に戻る。
【００４４】
ステップＳ２２において、レビュー画像生成部４５は、所定のボタン（例えば十字キーの上を表す「△」ボタン）が操作されたか否かを判定する。
所定のボタン（例えば十字キーの上を表す「△」ボタン）が操作されていない場合、ステップＳ２２においてＮＯと判定されて、処理はステップＳ２０に戻る。
これに対し、所定のボタン（例えば十字キーの上を表す「△」ボタン）が操作されている場合、ステップＳ２２においてＹＥＳと判定されて、処理はステップＳ２３に進む。
【００４５】
ステップＳ２３において、レビュー画像生成部４５は、撮影失敗要因の発生箇所として表示する箇所を特定する。
ステップＳ２４において、レビュー画像生成部４５は、撮影失敗要因の発生箇所を特定したレビュー画像を全画面に表示する。
ステップＳ２５において、レビュー画像生成部４５は、所定のボタン（例えば十字キーの上を表す「△」ボタン）が操作されてか否かを判定する。
所定のボタン（例えば十字キーの上を表す「△」ボタン）が操作されていない場合、ステップＳ２５においてＮＯと判定されて、処理はステップＳ２５に戻る。
これに対し、所定のボタン（例えば十字キーの上を表す「△」ボタン）が操作されている場合、ステップＳ２５においてＹＥＳと判定されて、処理はステップＳ２１に進む。
【００４６】
ステップＳ２６において、レビュー画像生成部４５は、既に表示されているミニ撮影レビュー画像をシフトして、ステップＳ１４において撮像された撮像画像のデータについて特定された外枠の色でミニ撮影レビュー画像を追加して表示する（図４（Ｂ）の（ｃ）参照）。ここでは、既に表示されている複数のミニ撮影レビュー画像を左側に１画像分ずつシフトし、空いた領域に新たに撮影された画像のミニ撮影レビュー画像を表示する。
ステップＳ２７において、レビュー画像生成部４５は、所定のボタン（例えば十字キーの上を表す「△」ボタン）が操作されてか否かを判定する。
所定のボタン（例えば十字キーの上を表す「△」ボタン）が操作されていない場合、ステップＳ２７においてＮＯと判定されて、処理はステップＳ２８に進む。
これに対し、所定のボタン（例えば十字キーの上を表す「△」ボタン）が操作されている場合、ステップＳ２７においてＹＥＳと判定されて、処理はステップＳ２３に進む。
ステップＳ２８において、レビュー画像生成部４５は、ミニ撮影レビュー画像を選択する操作（例えば十字キーの左右を表すボタンの操作）がされたか否かを判定する。
ミニ撮影レビュー画像を選択する操作（例えば十字キーの左右を表すボタンの操作）がされていない場合、ステップＳ２８においてＮＯと判定されて、処理はステップＳ１１に戻る。
これに対し、ミニ撮影レビュー画像を選択する操作（例えば十字キーの左右を表すボタンの操作）がされた場合、ステップＳ２８においてＹＥＳと判定されて、処理はステップＳ２９に進む。
ステップＳ２９において、レビュー画像生成部４５は、ステップＳ２８の操作によって選択されたミニ撮影レビュー画像を表示する。
その後、処理はステップＳ２７に戻る。
【００４７】
なお、本実施形態において、撮影の成功時にはミニ撮影レビュー画像を表示し、撮影の失敗時には、ミニ撮影レビューの表示を行うことなく、レビュー画像を全画面表示してもよい。さらに、このとき、レビュー画像において、例えば図３に示す表示形態で、撮影失敗要因の発生箇所を特定してもよい。これにより、撮影に成功した場合には、ライブビュー画像の表示を継続して直ちに撮影記録ができる状態を維持し、撮影に失敗した場合には、撮影失敗要因の発生箇所を表示することができる。そのため、ユーザは、撮影の成否に応じて、新たな撮影を行うか、あるいは、撮影をやり直すかを適切に判別することができる。
【００４８】
以上のように、本実施形態における撮像装置１は、撮像部１６と、ライブビュー画像生成部４３と、撮影結果評価部４４と、レビュー画像生成部４５と、を備える。
撮像部１６は、被写体の画像を撮像する。
ライブビュー画像生成部４３は、撮像部１６から順次出力される撮像画像をライブビュー画像として、表示画面に順次表示させる。
レビュー画像生成部４５は、撮影記録が指示された場合に、撮像部１６から出力された記録用の撮像画像を、ライブビュー画像を表示した状態で表示画面の一部に第１のレビュー画像として表示させる。
撮影結果評価部４４は、撮影記録の指示に対応して撮像部１６から出力された記録用の撮像画像に基づいて、撮影結果を評価する。
レビュー画像生成部４５は、撮影結果評価部４４による評価結果に応じて、第１のレビュー画像の表示形態を異ならせる表示制御を行う。
【００４９】
これにより、ライブビュー画像の表示を継続して直ちに撮影記録ができる状態を維持しながら、撮影の評価結果を第１のレビュー画像の表示形態として表示することができる。
そのため、ユーザは、撮影の評価結果に応じて、新たな撮影を行うか、あるいは、撮影をやり直すかを適切に判別することができる。
したがって、ライブビュー画像表示中におけるミニ撮影レビュー画像の表示機能をユーザによる撮影結果の判別により適したものとすることができる。
【００５０】
また、撮影結果評価部４４は、撮影に成功したか否かを判別する。
これにより、ユーザは、撮影の成否に応じて、新たな撮影を行うか、あるいは、撮影をやり直すかを適切に判別することが可能となる。
【００５１】
また、レビュー画像生成部４５は、第１のレビュー画像の枠を評価結果に応じた色とする表示形態又は第１のレビュー画像の色を評価結果に応じた色とする表示形態の少なくともいずれかとする。
これにより、ライブビュー画像よりもサイズが小さい第１のレビュー画像において、第１のレビュー画像の枠の色あるいは第１のレビュー画像の色によって、撮影結果が表示される。
したがって、ライブビュー画像よりもサイズが小さい第１のレビュー画像であっても、ユーザがわかりやすい表示形態で、撮影結果を表示することができる。
【００５２】
また、レビュー画像生成部４５は、ライブビュー画像に代えて、記録用の撮像画像を第１のレビュー画像よりも大きいサイズの第２のレビュー画像として表示画面に表示する。
これにより、第１のレビュー画像によって撮影結果を表示することの他、より大きいサイズの第２レビュー画像によって、ユーザにとってよりわかりやすい表示形態で撮影結果を表示することができる。
【００５３】
また、レビュー画像生成部４５は、第１のレビュー画像の表示中に、所定の操作（例えば十字キーの上を表す「△」ボタンの操作）が行われることに対応して、第１のレビュー画像から第２のレビュー画像に切り替えて表示する。
これにより、ユーザは、第１のレビュー画像によって、撮影の評価結果を速やかに識別することができると共に、所定の操作を行うことで、第２のレビュー画像によって、撮影の評価結果の具体的な内容を容易に識別することができる。
【００５４】
また、レビュー画像生成部４５は、複数回の撮影に応じて複数の第１のレビュー画像を表示画面に表示し、複数の第１のレビュー画像それぞれについて、撮影結果評価部４４による評価結果に応じて、表示形態を異ならせる。
これにより、撮影済みの複数の撮像画像（例えば連写によって撮影された撮像画像等）について、撮影の評価結果をユーザが識別しやすい形態で表示することができる。
【００５５】
また、撮影結果評価部４４は、撮影に失敗したと判別した場合、撮影失敗の要因を特定する。
レビュー画像生成部４５は、撮影結果評価部４４によって特定された撮影失敗の要因に応じて、複数の要因ごとに予め決められた複数の表示形態の中から第１のレビュー画像の表示形態を選択する。
これにより、ユーザは、第１のレビュー画像の表示形態によって、撮影失敗の要因を識別することができる。
【００５６】
また、レビュー画像生成部４５は、撮影結果評価部４４によって撮影に成功したと判別された場合に、撮影結果を表す画像として、第１のレビュー画像を表示画面に表示し、撮影結果評価部４４によって撮影に失敗したと判別された場合に、撮影結果を表す画像として、撮影の失敗要因となった箇所を識別可能に表示した、第１のレビュー画像よりも大きいサイズの第２のレビュー画像を表示画面に表示する。
これにより、撮影に成功した場合には、ライブビュー画像の表示を継続して直ちに撮影記録ができる状態を維持し、撮影に失敗した場合には、撮影失敗の要因の発生箇所を表示することができる。
したがって、ユーザは、撮影の成否に応じて、新たな撮影を行うか、あるいは、撮影をやり直すかを適切に判別することができる。
【００５７】
［第２実施形態］
次に、本発明の第２実施形態について説明する。
本実施形態における撮像装置１は、撮影に失敗した場合のミニ撮影レビュー画像及びレビュー画像の表示形態が、第１実施形態と異なっている。
したがって、異なる部分であるレビュー画像生成部４５の機能的構成及び撮影結果評価処理について主として説明する。
図６は、撮影時における表示形態の具体例を示す図である。
図６（Ａ）、図６（Ｂ）は、出力部１８のディスプレイにミニ撮影レビュー画像及びライブビュー画像が表示された状態を示す図である。
図６（Ａ）は、撮影に成功した場合のライブビュー画像９１及びミニ撮影レビュー画像９２を示している。ライブビュー画像９１は出力部１８のディスプレイの略全面に表示され、ミニ撮影レビュー画像９２はディスプレイの一部（ここでは右下の小領域）にライブビュー画像９１よりも小さいサイズでライブビュー画像９１に重ねて表示されている。なお、撮像に成功した場合、本実施形態においても、第１実施形態と同様に、ミニ撮影レビュー画像９２の外枠が、撮影に成功したことを示す色で表示される。
【００５８】
図６（Ｂ）は、撮像に失敗した場合のライブビュー画像９３及びミニ撮影レビュー画像９４を示している。なお、なお、図６（Ｂ）において、（ａ）はライブビュー画像９３の右下にミニ撮影レビュー画像９４が重ねて表示された状態、（ｂ）はレビュー画像９５において撮影失敗要因の発生箇所が表示された状態を示している。また、図６（Ｂ）においては、撮影失敗要因が目つぶりである場合を例として示している。
図６（Ｂ）の（ａ）に示すよう、レビュー画像生成部４５は、ライブビュー画像９３よりも小さいサイズで表示されているミニ撮影レビュー画像９４において、目つぶりの発生箇所を目つぶりを表す色の矩形によって特定している。
なお、このとき、ミニ撮影レビュー画像９４の外枠が目つぶりを表す色で表示される。
【００５９】
また、本実施形態では、ユーザが図１に示した入力部１７の所定のボタン（例えば十字キーの上を表す「△」ボタン）をミニ撮影レビュー画像９４の表示開始から所定の時間内に操作することにより、レビュー画像生成部４５は、ライブビュー画像９３に代えて、ミニ撮影レビュー画像９４を拡大して、ディスプレイの全面にレビュー画像９５として表示させる。このとき、本実施形態では、レビュー画像９５において撮影失敗要因（目つぶり）の発生箇所（例えば目つぶりとなっている目を囲む矩形等）が目つぶりに対応する外枠との色と同一の色で表示される。
【００６０】
これにより、ミニ撮影レビュー画像９４によって撮影に失敗していること及び撮影失敗要因の発生箇所が識別して表示される。そのため、ユーザは、ミニ撮影レビュー画像９４の表示形態によって、撮影に失敗していることに加え、撮影失敗要因及びその発生箇所を容易に識別することができる。
【００６１】
次に、図７を参照して、第２実施形態の撮影結果評価処理について説明する。
図７は、第２実施形態の撮影結果評価処理の流れを説明するフローチャートである。
図７に示す撮影結果評価処理のうち、ステップＳ４１〜Ｓ４７の処理は、図５に示す第１実施形態の撮影結果評価処理におけるステップＳ１１〜Ｓ１７の処理と同様である。
【００６２】
ステップＳ４１において、撮像制御部４１は、ユーザによって撮影を指示する操作がなされたか否かを判定する。
撮影を指示する操作がなされた場合、ステップＳ４１においてＹＥＳであると判定されて、処理はステップＳ４４に進む。
これに対し、撮影を指示する操作がなされていない場合、ステップＳ４１においてＮＯであると判定されて、処理はステップＳ４２に進む。
【００６３】
ステップＳ４２において、撮像制御部４１は、撮像装置１に対して撮影を指示する操作以外の操作（例えば、ズーム操作、マニュアル設定等）がなされたか否かを判定する。
撮像装置１に対して撮影を指示する操作以外の操作がなされていない場合、ステップＳ４２においてＮＯと判定されて、処理はステップＳ４１に戻る。
これに対し、撮像装置１に対して撮影を指示する操作以外の操作（例えば、ズーム操作、マニュアル設定等）がなされた場合、ステップＳ４２においてＹＥＳと判定されて、処理はステップＳ４３に進む。
ステップＳ４３において、撮像制御部４１は、操作に応じた処理を実行し、処理はステップＳ４１に戻る。
ステップＳ４４において、撮像制御部４１は、撮影記録が指示された画像のデータとして、撮像画像のデータをＲＡＭ１３等に記憶させる。
ステップＳ４５において、撮影結果評価部４４は、撮影記録が指示された画像のデータについて、撮影に成功しているか否かを判定する。
撮影記録が指示された画像のデータについて、撮影に成功している場合、ステップＳ４５においてＹＥＳと判定されて、処理はステップＳ４６に進む。
これに対し、撮影記録が指示された画像のデータについて、撮影に失敗している場合、ステップＳ４５においてＮＯと判定されて、処理はステップＳ４７に進む。
【００６４】
ステップＳ４６において、レビュー画像生成部４５は、外枠を撮影に成功したことを示す色としてレビュー画像を表示し、処理はステップＳ４１に戻る。
ステップＳ４７において、レビュー画像生成部４５は、撮影結果評価部４４によって判別された撮影失敗要因に応じてレビュー画像の外枠の色を特定する。
【００６５】
ステップＳ４８において、レビュー画像生成部４５は、撮影失敗要因の発生箇所として表示する箇所を特定する。
ステップＳ４９において、レビュー画像生成部４５は、外枠を撮影失敗要因に応じた色とし、撮影失敗要因の発生箇所を特定したミニ撮影レビュー画像を全画面に表示する。
【００６６】
ステップ５０において、レビュー画像生成部４５は、ミニ撮影レビュー画像を表示した状態で、撮影から所定時間が経過したか否かを判定する。
ミニ撮影レビュー画像を表示した状態で、撮影から所定時間が経過した場合、ステップＳ５０においてＹＥＳと判定されて、処理はステップＳ４１に戻る。
これに対し、ミニ撮影レビュー画像を表示した状態で、撮影から所定時間が経過していない場合、ステップＳ５０においてＮＯと判定されて、処理はステップＳ５１に進む。
【００６７】
ステップＳ５１において、レビュー画像生成部４５は、所定のボタン（例えば十字キーの上を表す「△」ボタン）が操作されたか否かを判定する。
所定のボタン（例えば十字キーの上を表す「△」ボタン）が操作されていない場合、ステップＳ５１においてＮＯと判定されて、処理はステップＳ５０に戻る。
これに対し、所定のボタン（例えば十字キーの上を表す「△」ボタン）が操作されている場合、ステップＳ５１においてＹＥＳと判定されて、処理はステップＳ５２に進む。
【００６８】
ステップＳ５２において、レビュー画像生成部４５は、撮影失敗要因の発生箇所を特定したレビュー画像を全画面に表示する。
ステップＳ５３において、レビュー画像生成部４５は、所定のボタン（例えば十字キーの上を表す「△」ボタン）が操作されてか否かを判定する。
所定のボタン（例えば十字キーの上を表す「△」ボタン）が操作されていない場合、ステップＳ５３においてＮＯと判定されて、処理はステップＳ５３に戻る。
これに対し、所定のボタン（例えば十字キーの上を表す「△」ボタン）が操作されている場合、ステップＳ５３においてＹＥＳと判定されて、処理はステップＳ４１に戻る。
【００６９】
なお、本実施形態において、第１実施形態の図４（Ｂ）の（ｃ）と同様に、ライブビュー画像の下部に、複数のミニ撮影レビュー画像を重ねて表示してもよい。
【００７０】
以上のように、本実施形態における撮像装置１では、撮影結果評価部４４によって撮影に失敗したと判別された場合、レビュー画像生成部４５は、第１のレビュー画像において撮影失敗の要因となった箇所を識別可能に表示する。
これにより、ユーザは、第１のレビュー画像の表示形態によって、撮影に失敗していることに加え、撮影失敗の要因の発生箇所を容易に識別することができる。
【００７１】
［第３実施形態］
次に、本発明の第３実施形態について説明する。
本実施形態では、ミニ撮影レビュー画像の表示制御と、レビュー画像の表示制御とを切り替え可能としている。
図８は、撮影時における表示形態の具体例を示す図である。
本実施形態では、ミニ撮影レビュー画像をライブビュー画像よりも小さいサイズでライブビュー画像９１に重ねて表示させる表示モード（以下、「ミニ撮影レビュー表示モード」と呼ぶ。）と、レビュー画像のみをディスプレイの全面に表示させる表示モード（以下、「全画面レビュー表示モード」と呼ぶ。）とを切り替えるものである。
【００７２】
図８（Ａ）及び図８（Ｂ）は、撮像に成功した場合の表示形態の例を示している。即ち、図８（Ａ）は、ミニ撮影レビュー表示モードにおいて、ライブビュー画像１０１にミニ撮影レビュー画像１０２が重ねて表示された状態を示している。また、図８（Ｂ）は、全画面レビュー表示モードにおいて、全画面にミニ撮影レビュー画像１０２が拡大されたレビュー画像１０３が表示された状態を示している。
図８（Ｃ）及び図８（Ｄ）は、撮影に失敗した場合の表示形態の例を示している。即ち、図８（Ｃ）は、ミニ撮影レビュー表示モードにおいて、ライブビュー画像１０４に、外枠の色を撮影失敗要因を識別する色とされたミニ撮影レビュー画像１０５が重ねて表示された状態を示している。また、図８（Ｄ）は、全画面レビュー表示モードにおいて、撮影失敗要因の発生箇所が識別されたレビュー画像１０６が全画面に表示された状態を示している。
【００７３】
本実施形態では、入力部１７からの切り替え操作によってミニ撮影レビュー表示モードと全画面レビュー表示モードとを切り替えることを可能としている。
本実施形態においては、図８（Ａ）に示したミニ撮影レビュー画像１０２では、外枠が撮影の成功を示す色で表示されている。また、図８（Ｃ）に示したミニ撮影レビュー画像１０５では、外枠が撮像の目つぶりによる失敗を示す色で表示されている。図８（Ｄ）に示したレビュー画像１０６では、外枠をいずれかの外枠色で表示する制御は行われておらず、撮影失敗要因（目つぶり）の発生箇所が示されている。
【００７４】
これにより、撮影時に、ミニ撮影レビュー画像を表示させるか、レビュー画像を表示させるかを任意に選択することができる。このため、ユーザの好みに応じて撮影失敗要因及び失敗箇所をユーザが識別しやすい表示形態とすることができる。
【００７５】
また、本実施形態においては、入力部１７からの切り替え操作によって、撮影に失敗した場合に、ミニ撮影レビュー画像の外枠の色によって撮影失敗要因が発生していることを表す表示形態（図４（Ｂ）の（ａ）参照）と、ミニ撮影レビュー画像において撮影失敗要因が発生している箇所を特定する表示形態（図６（Ｂ）の（ａ）参照）とを切り替えることを可能としている。
これにより、ミニ撮影レビュー画像によって撮影の失敗を表示する場合に、ユーザは、ディスプレイのサイズ等に応じて、撮影の失敗を表す表示形態を任意に選択することができる。このため、撮影時に、ライブビュー画像の表示を継続しながら、撮影失敗要因及び撮影失敗箇所をユーザが識別しやすい表示形態とすることができる。
【００７６】
以上のように、本実施形態における撮像装置１では、レビュー画像生成部４５は、撮影時に撮影結果を表す画像として、第１のレビュー画像を表示する設定と、第２のレビュー画像を表示する設定とを切り替え操作に応じて切り替え、撮影結果評価部４４による評価結果に応じて、切り替え操作に応じた表示の設定に基づいて、第１のレビュー画像又は第２のレビュー画像の表示形態を選択する。
これにより、撮影時に、第１のレビュー画像を表示させるか、第２のレビュー画像を表示させるかを任意に選択することができる。
したがって、ユーザの好みに応じて撮影失敗要因及び失敗箇所をユーザが識別しやすい表示形態とすることができる。
【００７７】
また、レビュー画像生成部４５は、撮影結果評価部４４によって撮影に失敗したと判別され、撮影結果評価部４４による判別結果に応じて第１のレビュー画像の表示形態を異ならせる場合に、第１のレビュー画像の枠を評価結果に応じた色とする表示形態と第１のレビュー画像において撮影の失敗要因となった箇所を識別可能に表示する表示形態とを切り替え操作に応じて切り替える。
これにより、第１のレビュー画像によって撮影の失敗を表示する場合に、ユーザは、ディスプレイのサイズ等に応じて、撮影の失敗を表す表示形態を任意に選択することができる。
したがって、撮影時に、ライブビュー画像の表示を継続しながら、撮影失敗要因及び撮影失敗箇所をユーザが識別しやすい表示形態とすることができる。
【００７８】
なお、本発明は、上述の実施形態に限定されるものではなく、本発明の目的を達成できる範囲での変形、改良等は本発明に含まれるものである。
例えば、上述の実施形態において、撮影に失敗したことをミニ撮影レビュー画像あるいはレビュー画像の外枠の色で識別して表示するものとして説明したが、ミニ撮影レビュー画像あるいはレビュー画像自体の色を補正して表示（例えばセピア色に補正して表示する等）することにより、撮影に失敗したことを表してもよい。また、ミニ撮影レビュー画像あるいはレビュー画像の色を撮影失敗要因に応じて異なる色とする（例えば撮影失敗要因に応じた色の比率で補正を加えた色とする等）ことで、撮影に失敗したことに加え、撮影失敗の要因も識別して表示することができる。
また、上述の実施形態において、撮影の成否により撮影結果の評価を行っているが、一般に失敗と捉えられる撮影結果であっても、あえて手振れで、或いは被写体としての枝の揺れで動的な効果を狙ったりするような、必ずしも失敗とはいえない場合にも撮影の効果を確認できるという効果も期待できる。
【００７９】
なお、本発明は、上述の実施形態に限定されるものではなく、本発明の目的を達成できる範囲での変形、改良等は本発明に含まれるものである。
【００８０】
上述の実施形態では、撮像制御部４１に入力される撮像画像のデータは、撮像部１６から順次出力される撮像画像のデータであったが、特にこれに限定されず、いわゆる連写により得られる複数の静止画像のデータ等、連続して撮像された複数の画像のデータであってもよい。また、当該画像は、撮像装置１の撮像部１６により撮像されたものに限らず、図示せぬ他の装置により撮像されたものであってもよい。
【００８１】
また、上述の実施形態では、本発明が適用される撮像装置１は、デジタルカメラを例として説明したが、特にこれに限定されない。
例えば、本発明は、画像解析機能、情報報知機能を有する電子機器一般に適用することができる。具体的には、例えば、本発明は、ノート型のパーソナルコンピュータ、テレビジョン受像機、ビデオカメラ、携帯型ナビゲーション装置、携帯電話機、スマートフォン、ポータブルゲーム機等に適用可能である。
【００８２】
上述した一連の処理は、ハードウェアにより実行させることもできるし、ソフトウェアにより実行させることもできる。
換言すると、図２の機能的構成は例示に過ぎず、特に限定されない。即ち、上述した一連の処理を全体として実行できる機能が撮像装置１に備えられていれば足り、この機能を実現するためにどのような機能ブロックを用いるのかは特に図２の例に限定されない。
また、１つの機能ブロックは、ハードウェア単体で構成してもよいし、ソフトウェア単体で構成してもよいし、それらの組み合わせで構成してもよい。
【００８３】
一連の処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えば汎用のパーソナルコンピュータであってもよい。
【００８４】
このようなプログラムを含む記録媒体は、ユーザにプログラムを提供するために装置本体とは別に配布される図１のリムーバブルメディア３１により構成されるだけでなく、装置本体に予め組み込まれた状態でユーザに提供される記録媒体等で構成される。リムーバブルメディア３１は、例えば、磁気ディスク（フロッピディスクを含む）、光ディスク、又は光磁気ディスク等により構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）等により構成される。光磁気ディスクは、ＭＤ（Ｍｉｎｉ−Ｄｉｓｋ）等により構成される。また、装置本体に予め組み込まれた状態でユーザに提供される記録媒体は、例えば、プログラムが記録されている図１のＲＯＭ１２や、図１の記憶部１９に含まれるハードディスク等で構成される。
【００８５】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
【００８６】
以上、本発明のいくつかの実施形態について説明したが、これらの実施形態は、例示に過ぎず、本発明の技術的範囲を限定するものではない。本発明はその他の様々な実施形態を取ることが可能であり、さらに、本発明の要旨を逸脱しない範囲で、省略や置換等種々の変更を行うことができる。これら実施形態やその変形は、本明細書等に記載された発明の範囲や要旨に含まれると共に、特許請求の範囲に記載された発明とその均等の範囲に含まれる。
【００８７】
以下に、本願の出願当初の特許請求の範囲に記載された発明を付記する。
［付記１］
被写体の画像を撮像する撮像手段と、
前記撮像手段から順次出力される撮像画像をライブビュー画像として、表示画面に順次表示させるライブビュー画像表示手段と、
撮影記録が指示された場合に、前記撮像手段から出力された記録用の撮像画像を、前記ライブビュー画像を表示した状態で前記表示画面の一部に第１のレビュー画像として表示させるレビュー画像表示手段と、
前記撮影記録の指示に対応して前記撮像手段から出力された前記記録用の撮像画像に基づいて、撮影結果を評価する撮影結果評価手段と、
前記撮影結果評価手段による評価結果に応じて、前記第１のレビュー画像の表示形態を異ならせる表示制御を行う表示制御手段と、
を備えることを特徴とする撮像装置。
［付記２］
前記撮影結果評価手段は、撮影に成功したか否かを判別することを特徴とする付記１に記載の撮像装置。
［付記３］
前記表示制御手段は、前記第１のレビュー画像の枠を前記評価結果に応じた色とする表示形態又は前記第１のレビュー画像の色を前記評価結果に応じた色とする表示形態の少なくともいずれかとすることを特徴とする付記１又は２に記載の撮像装置。
［付記４］
前記撮影結果評価手段によって前記撮影に失敗したと判別された場合、前記表示制御手段は、前記第１のレビュー画像において撮影の失敗要因となった箇所を識別可能に表示することを特徴とする付記２に記載の撮像装置。
［付記５］
前記レビュー画像表示手段は、前記ライブビュー画像に代えて、前記記録用の撮像画像を前記第１のレビュー画像よりも大きいサイズの第２のレビュー画像を前記表示画面に表示することを特徴とする付記１から３のいずれか１つに記載の撮像装置。
［付記６］
前記表示制御手段は、前記第１のレビュー画像の表示中に、所定の操作が行われることに対応して、前記第１のレビュー画像から前記第２のレビュー画像に切り替えて表示することを特徴とする付記５に記載の撮像装置。
［付記７］
前記レビュー画像生成手段は、複数回の撮影に応じて複数の前記第１のレビュー画像を前記表示画面に表示し、
前記表示制御手段は、前記複数の前記第１のレビュー画像それぞれについて、前記撮影結果評価手段による評価結果に応じて、表示形態を異ならせることを特徴とする付記１から６のいずれか１つに記載の撮像装置。
［付記８］
前記撮影結果評価手段は、前記撮影に失敗したと判別した場合、撮影失敗の要因を複数の要因の中から特定し、
前記表示制御手段は、前記撮影結果評価手段によって特定された前記撮影失敗の要因に応じて、前記複数の要因ごとに予め決められた複数の表示形態の中から前記第１のレビュー画像の表示形態を選択することを特徴とする付記２に記載の撮像装置。
［付記９］
前記レビュー画像生成手段は、撮影時に撮影結果を表す画像として、前記第１のレビュー画像を表示する設定と、前記第２のレビュー画像を表示する設定とを切り替え操作に応じて切り替え、
前記表示制御手段は、前記撮影結果評価手段による評価結果に応じて、前記切り替え操作に応じた表示の設定に基づいて、前記第１のレビュー画像又は前記第２のレビュー画像の表示形態を選択することを特徴とする付記５に記載の撮像装置。
［付記１０］
前記表示制御手段は、前記結果評価手段によって前記撮影に失敗したと評価され、前記撮影結果評価手段による評価結果に応じて前記第１のレビュー画像の表示形態を異ならせる場合に、前記第１のレビュー画像の枠を前記評価結果に応じた色とする表示形態と前記第１のレビュー画像において撮影の失敗要因となった箇所を識別可能に表示する表示形態とを切り替え操作に応じて切り替えることを特徴とする付記９に記載の撮像装置。
［付記１１］
前記表示制御手段は、前記撮影結果評価手段によって前記撮影に成功したと評価された場合に、撮影結果を表す画像として、前記第１のレビュー画像を前記表示画面に表示し、前記撮影結果評価手段によって前記撮影に失敗したと評価された場合に、撮影結果を表す画像として、前記撮影の失敗要因となった箇所を識別可能に表示した、前記第１のレビュー画像よりも大きいサイズの第２のレビュー画像を前記表示画面に表示することを特徴とする付記２に記載の撮像装置。
［付記１２］
被写体の画像を撮像する撮像手段から順次出力される撮像画像をライブビュー画像として、表示画面に順次表示するライブビュー画像表示ステップと、
撮影記録が指示された場合に、前記撮像手段から出力された記録用の撮像画像を、前記ライブビュー画像を表示した状態で前記表示画面の一部に第１のレビュー画像として表示するレビュー画像表示ステップと、
前記撮影記録の指示に対応して前記撮像手段から出力された前記記録用の撮像画像に基づいて、撮影結果を評価する撮影結果評価ステップと、
前記撮影結果評価ステップにおける評価結果に応じて、前記第１のレビュー画像の表示形態を異ならせる表示制御を行う表示制御ステップと、を含むことを特徴とする表示方法。
［付記１３］
コンピュータに、
被写体の画像を撮像する撮像手段から順次出力される撮像画像をライブビュー画像として、表示画面に順次表示させるライブビュー画像表示機能と、
撮影記録が指示された場合に、前記撮像手段から出力された記録用の撮像画像を、前記ライブビュー画像を表示した状態で前記表示画面の一部に第１のレビュー画像として表示させるレビュー画像表示機能と、
前記撮影記録の指示に対応して前記撮像手段から出力された前記記録用の撮像画像に基づいて、撮影結果を評価する撮影結果評価機能と、
前記撮影結果評価機能による評価結果に応じて、前記第１のレビュー画像の表示形態を異ならせる表示制御を行う表示制御機能とを実現させることを特徴とするプログラム。
【符号の説明】
【００８８】
１・・・撮像装置、１１・・・ＣＰＵ、１２・・・ＲＯＭ、１３・・・ＲＡＭ、１４・・・バス、１５・・・入出力インターフェース、１６・・・撮像部、１７・・・入力部、１８・・・出力部、１９・・・記憶部、２０・・・通信部、２１・・・ドライブ、３１・・・リムーバブルメディア、４１・・・撮像制御部、４２・・・画像取得部、４３・・・ライブビュー画像生成部、４４・・・撮影結果評価部、４５・・・レビュー画像生成部
【図１】
2014179874.tif 000003
【図２】
2014179874.tif 000004
【図３】
2014179874.tif 000005
【図４】
2014179874.tif 000006
【図５】
2014179874.tif 000007
【図６】
2014179874.tif 000008
【図７】
2014179874.tif 000009
【図８】
2014179874.tif 000010